(57)【要約】【課題】  粘着ロールテープを所望の長さだけ正確に引き出すことができるテープカッターを提供する。【解決手段】  テープカッター１０は、カッター刃１５の後方にスイング部材１８を、ボルト１９を介して揺動自在に片持ち支持の状態で指示板１７に取り付け、このスイング部材１８の揺動先端１８ａにテープホルダー２０を一端２１支持（片持ち支持）の状態で取り付け、このテープホルダー２０に環体１２を嵌め込むことで粘着ロールテープ１３を回転自在に支持し、このテープホルダー２０及び粘着ロールテープ１３の自重で、粘着ロールテープ１３の外周１３ａがテンションロール２２に常時当接するように、テンションロール２２をテープホルダー２０とカッター刃１５との間に片持ち支持の状態で配置し、このテンションロール２２に、粘着ロールテープ１３から引き出した粘着テープ１１の表面を接触させてカッター刃１５位置まで案内するように構成したものである。【選択図】      図１
2005335831.tif 000002
【特許請求の範囲】
【請求項１】
粘着ロールテープを環体に積層巻回して粘着ロールテープを形成し、この粘着ロールテープを回転自在に支持し、粘着ロールテープの先端を引っ張ることにより粘着ロールテープから粘着テープを引き出し、カッター刃に押し付けて切断する構成のテープカッターにおいて、ベースと一体に形成される支持部材にスイング部材を片持ち支持の状態で揺動自在に取り付け、このスイング部材の揺動先端に、前記環体を嵌め込むためのテープホルダーを片持ち支持の状態で回転自在に取り付け、このテープホルダー及び粘着ロールテープの自重で粘着ロールテープの外周が常時当接可能となる前記支持部材位置に、テンションロールを片持ち支持の状態で取り付け、このテンションロールを経て粘着ロールテープから引き出した粘着テープを切断するためのカッター刃を前記支持部材に片持ち支持の状態で取り付けたことを特徴とするテープカッター。
【請求項２】
前記テンションロールの外周のうち、前記粘着ロールテープの両側縁に対面する部位に逃げ溝を形成したことを特徴とする請求項１記載のテープカッター。
【請求項３】
前記テープホルダーの直径寸法は、テープホルダーの外周面において、両端部位を大径部に形成し、この大径部の内側部位を大径部より小径の小径部に形成したことを特徴とする請求項１又は２記載のテープカッター。
【請求項４】
前記テンションロールの外周において、前記幅広の粘着ロールテープの両側縁に対面する部位に幅広用の逃げ溝を形成し、前記幅狭の粘着ロールテープの両側縁に対面する部位に幅狭用の逃げ溝を形成したことを特徴とする請求項１乃至３の何れかに記載のテープカッター。
【発明の詳細な説明】
【技術分野】
【０００１】
本発明はテープカッターに係り、さらに詳しくは、粘着テープを積層巻回した粘着ロールテープを回転自在に支持し、この粘着ロールテープの先端を引っ張って粘着ロールテープから粘着テープを引き出し、所望の長さを引き出してカッター刃に押し付けて切断する際に、粘着テープを所望の長さに引き出すことができるテープカッターに関する。
【背景技術】
【０００２】
従来、例えば工場で作製したパンフレットや本などをダンボール箱詰めして梱包する際に、その梱包箱の封止のために粘着ロールテープを使用することがあり、この粘着ロールテープを所望の長さだけ引き出して切断する道具としてテープカッターが知られている。この従来のテープカッターを、図４に基づいて説明する。
テープカッター５０で切断する粘着テープ５１は、通常、環体５２に積層巻回されて粘着ロールテープ５３とした状態で使用される。
すなわち、粘着ロールテープ５３の環体５２の中央部孔に、テープカッターに備えたテープホルダーの延伸軸５４を差し込み、この延伸軸５４の両端部を、対向状に取り付けられたテープカッターのベースと一体的に立設形成される支持部材５５の差込溝５６を経て支持孔５７に配置している。
【０００３】
この状態で、粘着ロールテープ５３から引き出した粘着テープ５１をテンションバー５８の下側に当接させながらカッター刃５９位置まで引き出し、この引き出した粘着テープ５１をカッター刃５９に押し付けて切断している。
このタイプのテープカッターは、広く一般的に知られている（例えば、特許文献１参照）。
【特許文献１】特開平０８−１４１９７９号公報
【０００４】
このテープカッター５０によれば、テープホルダーの延伸軸５４が支持孔５７に回転自在な状態で支持されているので、粘着テープ５１の先端５１ａを引っ張ることにより、テープホルダーの延伸軸５４と一体的に粘着ロールテープ５３が自由回転して、粘着ロールテープ５３から粘着テープ５１が引き出される。これにより、粘着テープ５１を簡単に引き出せるようになる。
【発明の開示】
【発明が解決しようとする課題】
【０００５】
しかし、テープホルダーの延伸軸５４が支持孔５７にフリー状態で回転自在に支持されているので、粘着テープ５１を引き出す際に、粘着ロールテープ５３が勢いよく回転し、粘着テープ５１の所望の長さの引き出しを難しくしていた。
すなわち、所望の長さだと思って粘着テープ５１を引き出した際、引っ張り力の付勢力で延伸軸５４はさらに自由回転を続け、引っ張り力を解除しても惰性で必要以上の粘着テープが無駄に送り出される結果となっていた。これは、粘着ロールテープ５３の無用な回転を止めるためのブレーキがないことにも起因している。
【０００６】
また、粘着ロールテープ５３を新しいものに交換する場合には、テープホルダーの延伸軸５４を支持孔５７から取り外し、取り外したテープホルダーに粘着ロールテープ５３の環体５２を嵌め込み、その後再度テープホルダーの延伸軸５４を差込溝５６から支持孔５７に配置しなければならないが、この作業は複雑で両手作業となり、比較的手間のかかるものであった。
【０００７】
さらに、粘着ロールテープ５３を新しいものに交換した場合には、まずテープホルダーの延伸軸５４を支持孔５７に配置させた後、粘着ロールテープ５３から引き出した粘着テープ５１をテンションバー５８の下側に当接させながらカッター刃５９の位置まで引き出す必要があるが、テンションバー５８の下側の周囲は一対の支持部材５５で塞がれているため、その位置に粘着テープ５１を通すことはスペース的に難しく、このため粘着テープ５１をカッター刃５９位置まで簡単に引き出せない構成となっていた。
このため、粘着ロールテープ５３の交換に手間がかかるという問題があった。
【０００８】
さらに、粘着ロールテープ５３の両側縁には、接着剤（糊）がはみ出すことが多いため、粘着テープ５１をテンションバー５８経由で案内する際に、粘着テープ５１の両側縁からはみ出した糊がテンションバー５８に蓄積して付着するので、テンションバー５８から糊を除去する清掃作業が避けられなかった。
【０００９】
本発明は、粘着テープを所望の長さだけ正確に引き出すことができ、また粘着ロールテープの交換が片手で簡単に行え、さらに粘着ロールテープの両側縁からはみ出した糊がテンションバーに付着することを防げるテープカッターを提供することを課題とする。
【課題を解決するための手段】
【００１０】
請求項１に係る発明は、粘着ロールテープを環体に積層巻回して粘着ロールテープを形成し、この粘着ロールテープを回転自在に支持し、粘着ロールテープの先端を引っ張ることにより粘着ロールテープから粘着テープを引き出し、カッター刃に押し付けて切断する構成のテープカッターにおいて、ベースと一体に形成される支持部材にスイング部材を片持ち支持の状態で揺動自在に取り付け、このスイング部材の揺動先端に、前記環体を嵌め込むためのテープホルダーを片持ち支持の状態で回転自在に取り付け、このテープホルダー及び粘着ロールテープの自重で粘着ロールテープの外周が常時当接可能となる前記支持部材位置に、テンションロールを片持ち支持の状態で取り付け、このテンションロールを経て粘着ロールテープから引き出した粘着テープを切断するためのカッター刃を前記支持部材に片持ち支持の状態で取り付けたことを特徴とする。
【００１１】
このテープホルダー及び粘着ロールテープの自重を利用して粘着ロールテープの外周をテンションロールに当接させるようにしたので、粘着ロールテープの外周を，常時、自動的にテンションロールに当接させることができる。
このため、粘着テープを引き出す際には、軽い力で粘着ロールテープを回転させることができ、粘着テープを軽い引き出し力で簡単に引き出せるようになる。
そして、粘着テープの引き出し力を解除した際には、粘着ロールテープのテンションロールへの圧接力がブレーキとなって粘着ロールテープの回転を瞬時に停止させ、粘着ロールテープの無用の回転を防止し、粘着テープを所望の長さだけ正確に引き出すことができる。
【００１２】
また、スイング部材の揺動先端にはテープホルダーを片持ち支持の状態で回転自在に取り付けるので、スイング部材をわずかに揺動させてテープホルダーに嵌め込んだ粘着ロールテープをテンションロールから離すと、テープホルダーから使い切った粘着ロールテープを簡単に取り外すことができ、同時に新しい粘着ロールテープを嵌め込むことができる。
さらに、テンションロールを片持ち支持とすることで、粘着ロールテープから引き出した粘着テープを、テンションロールを経由してカッター刃の位置まで簡単に引き出すことが可能となる。
これにより、粘着ロールテープを、手間をかけないで片手で容易に交換することができる。
【００１３】
また、粘着ロールテープの交換を横から充填する作業だけで行えるため、本発明のテープカッターを作業台の上面に上向きで設置できることはもちろんのこと、作業台の下面に下向きで設置することも可能となる。
これに加えて、従来は作業台上で載置する形態だけで使用されていたテープカッターを、クランプ部材を利用して作業台の好みの位置に安定設置することも可能となる。
【００１４】
請求項２は、前記テンションロールの外周のうち、前記粘着ロールテープの両側縁に対面する部位に逃げ溝を形成したことを特徴とする。
【００１５】
粘着ロールテープの両側縁から糊がはみ出している場合でも、そのはみ出した糊は逃げ溝に対面するため、テンションロールの外周に糊が付着することは防止される。
【００１６】
請求項３は、前記テープホルダーの直径寸法は、テープホルダーの外周面において、両端部位を大径部に形成し、この大径部の内側部位を大径部より小径の小径部に形成したことを特徴とする。
【００１７】
この大径部では、幅広（５０ｍｍ幅）の粘着ロールテープを支持し、小径部では、幅狭（３８ｍｍ幅）の粘着ロールテープを支持することができ、二種類の幅の粘着ロールテープをひとつのテープホルダーで安定的に支持できるので、適応性及び作業性が高められる。
さらに、大径部を５０ｍｍ幅、小径部を４５ｍｍ幅に形成しておくと、一般的に使用される粘着ロールテープで市販されているものの全てのものに対応することが可能となる。
【００１８】
請求項４は、前記テンションロールの外周において、前記幅広の粘着ロールテープの両側縁に対面する部位に幅広用の逃げ溝を形成し、前記幅狭の粘着ロールテープの両側縁に対面する部位に幅狭用の逃げ溝を形成したことを特徴とする。
【００１９】
このため、それぞれの粘着ロールテープの両側縁から糊がはみ出していても、そのはみ出した糊はそれぞれ逃げ溝に対面することになり、テンションロールの外周に糊が付着することを防止できる。
【発明の効果】
【００２０】
請求項１に係る発明では、粘着ロールテープの外周を，常時、自動的にテンションロールに当接させることができ、粘着テープを引き出す際には、軽い力で粘着ロールテープを回転させることができ、粘着テープを軽い引き出し力で簡単に引き出せるようになる利点があり、粘着テープの引出し力を解除した際には、粘着ロールテープのテンションロールへの圧接力がブレーキとなって粘着ロールテープの回転を瞬時に停止させ、粘着ロールテープの無用の回転を防止し、粘着テープを所望の長さだけ正確に引き出せる利点がある。
【００２１】
また、スイング部材の揺動先端にはテープホルダーを片持ち支持の状態で回転自在に取り付けるので、スイング部材をわずかに揺動させてテープホルダーに嵌め込んだ粘着ロールテープをテンションロールから離すと、テープホルダーから使い切った粘着ロールテープを簡単に取り外すことができ、同時に新しい粘着ロールテープを嵌め込むことができ、テンションロールを片持ち支持とすることで、粘着ロールテープから引き出した粘着テープを、テンションロールを経由してカッター刃の位置まで簡単に引き出すことが可能となり、粘着ロールテープを、手間をかけないで片手で容易に交換することができるという利点がある。
【００２２】
また、粘着ロールテープの交換を横から充填する作業だけで行えるため、本発明のテープカッターを作業台の上面に上向きで設置できることはもちろんのこと、作業台の下面に下向きで設置することも可能となる。
これに加えて、従来は作業台上で載置する形態だけで使用されていたテープカッターを、クランプ部材を利用して作業台の好みの位置に安定設置することも可能となる等の効果もある。
【発明を実施するための最良の形態】
【００２３】
以下、本発明に係る最良の形態を図面に基づいて詳細に説明する。
図１は本発明に係るテープカッターを示す斜視図、図２は同正面図、図３は同平面図である。
【００２４】
図１に示すテープカッター１０は、粘着テープ１１を環体１２に積層巻回して粘着ロールテープ１３とし、この粘着ロールテープ１３を回転自在に支持し、粘着テープ１１の先端１１ａを引っ張ることにより粘着ロールテープ１３から粘着テープ１１を引き出し、引き出した粘着テープ１１をカッター刃１５に押し付けて切断するものである。
【００２５】
このテープカッター１０は、ベース１６と一体的になるように支持部材１７を備え、この支持部材１７の前端部１７ａ付近にカッター刃１５を取り付け、このカッター刃１５の後方にスイング部材１８を、ボルト１９を介して揺動自在に取り付けている。
このスイング部材１８の揺動先端１８ａに、環体１２を嵌め込むことで粘着ロールテープ１３を回転自在に支持するテープホルダー２０を、その一端２１支持（片持ち支持）の状態で支持部材１７に取り付け、このテープホルダー２０及び粘着ロールテープ１３の自重で粘着ロールテープ１３の外周１３ａが当接するテンションロール２２が片持ち支持の状態で支持部材１７に取り付けられている。
この支持部材１７は、ベース１６と一体的になるよう構成されている。
【００２６】
上記のように、テンションロール２２の支持位置は、テープホルダー２０及び粘着ロールテープ１３の自重で、粘着ロールテープ１３の外周１３ａが常時当接可能となる位置であり、図１においてテープホルダー２０とカッター刃１５との間に配置され、テンションロール２２の一端２２ａ支持（片持ち支持）の状態で支持部材１７に取り付けられている。このテンションロール２２に、粘着ロールテープ１３から引き出した粘着テープ１１の表面（すなわち、粘着糊が塗布されていない面）を接触させてカッター刃１５位置まで案内するように構成したものである。
【００２７】
図２に示すように、スイング部材１８は、ボルト１９を介して揺動自在に支持部材１７に取り付けられ、テープホルダー２０及び粘着ロールテープ１３の自重を利用して粘着ロールテープ１３を矢印ａの方向に揺動させて、粘着ロールテープ１３の外周１３ａをテンションロール２２に常時当接させている。
これにより、粘着ロールテープ１３の外周１３ａをテンションロール２２に比較的軽く常時当接させることができる。
【００２８】
上記のごとく、粘着ロールテープ１１を矢印ｂの方向に引き出す際には、粘着ロールテープ１３を矢印ｃの方向に回転させることになり、粘着ロールテープ１３の外周１３ａをテンションロール２２に比較的軽く常時当接させた状態を保つことができる。
このため、粘着テープ１１を軽い引き出し力で簡単に引き出すことができ、粘着テープ１１の引き出し力を解除した際には、粘着ロールテープ１３の回転を瞬時に停止して粘着ロールテープ１３の無用回転を防止し、粘着テープ１１を所望の長さだけ正確に引き出せるようになる。
【００２９】
図３に示すように、テープホルダー２０は、その両端を大径部２５，２６に形成し、その内側を大径部より小径の小径部２７に形成し、大径部２５，２６で、幅広の粘着ロールテープ１１が積層巻回された粘着ロールテープ１３を支持し、小径部２７で、幅狭の粘着ロールテープ２８が積層巻回された粘着ロールテープ２９を支持するものである。
【００３０】
大径部２５，２６で、幅広（５０ｍｍ幅）の粘着ロールテープ１１が積層巻回された粘着ロールテープ１３を支持し、小径部２７で、幅狭（３８ｍｍ幅）の粘着ロールテープ２８が積層巻回された粘着ロールテープ２９を支持することができ、二種類の幅の粘着ロールテープ１３，２９を、ひとつのテープホルダー２０で安定的に支持し、それぞれの粘着ロールテープ１１，２８を良好に引き出すことができ、適応性及び作業性を高めることができる。
さらに、大径部を５０ｍｍ幅、小径部を４５ｍｍ幅に形成しておくと、一般的に使用される粘着ロールテープで市販されているものの全てのものに対応することが可能となる。
【００３１】
テンションロール２２は、支持軸３１の端部２２ａを支持部材１７に固定し、支持軸３１にロール本体３２を回転自在に取り付け、ロール本体３２の外周のうち、幅広の粘着ロールテープ１１の両側縁１１ｂ，１１ｃに対面する部位に幅広用の逃げ溝３２ａ，３２ｂを形成し、幅狭の粘着ロールテープ２８の両側縁２８ａ，２８ｂに対面する部位に幅狭用の逃げ溝３２ｃ，３２ｄを形成したものである。
【００３２】
これにより、粘着テープ１１の両側縁１１ｂ，１１ｃや、粘着テープ２８の両側縁２８ａ，２８ｂから接着剤の糊（図示せず）がはみ出した場合でも、はみ出した糊はそれぞれ逃げ溝３２ａ，３２ｂや、逃げ溝３２ｃ，３２ｄに対面することになるため、テンションロール２２の外周に糊が付着することは防止され、テンションロール２２から糊を除去する清掃作業から開放されることとなる。
【００３３】
ここで、本発明のテープカッター１０によれば、スイング部材１８の揺動先端１８ａにテープホルダー２０を一端２１支持とすることで、スイング部材１８を上方に揺動させてテープホルダー２０をテンションロール２２から離して、テープホルダー２０から古い粘着ロールテープ１３を取り外し、またテープホルダー２０に新しい粘着ロールテープ１３の環体１２を簡単に嵌め込むことができる。
【００３４】
さらに、テンションロール２２を一端２２ａ支持とすることで、粘着ロールテープ１３から引き出した粘着テープ１１を、テンションロール２２を経由してカッター刃１５位置まで、片手で簡単に引き出すことができる。
これにより、粘着ロールテープ１３，２９を、手間をかけないで容易に交換することが可能となる。
【図面の簡単な説明】
【００３５】
【図１】本発明に係るテープカッターを示す斜視図である。
【図２】本発明に係るテープカッターを示す正面図である。
【図３】本発明に係るテープカッターを示す平面図である。
【図４】従来のテープカッターを示す正面図である。
【符号の説明】
【００３６】
１０…テープカッター
１１，２８…粘着テープ
１１ａ…粘着テープの先端
１１ｂ，１１ｃ，２８ａ，２８ｂ…粘着テープの両側縁
１２…環体
１３，２９…粘着ロールテープ
１３ａ…粘着ロールテープの外周
１５…カッター刃
１６…ベース
１７…支持部材
１８…スイング部材
１８ａ…揺動先端
１９…ボルト
２０…テープホルダー
２１…テープホルダーの一端
２２…テンションロール
２２ａ…テンションロールの一端
２５，２６…大径部
２７…小径部
３１…支持軸
３２…ロール本体
３２ａ，３２ｂ，３２ｃ，３２ｄ…逃げ溝
【図１】
2005335831.tif 000003
【図２】
2005335831.tif 000004
【図３】
2005335831.tif 000005
【図４】
2005335831.tif 000006